(57)【要約】  本出願は、通信方法および通信デバイスを提供する。方法は、1つの搬送波の異なる周波数領域位置に位置する複数の同期信号ブロックの構成情報を決定するステップであって、構成情報が複数の同期信号ブロックの構成パラメータを指示し、構成パラメータが構成パターン指示情報を含み、構成パターン指示情報が、実際に送信された同期信号ブロックを指示する、ステップと、構成情報を端末デバイスに送信するステップとを含む。この技術的解決策では、複数の同期信号ブロックの構成情報を指示することができ、それによってシステムの通信効率が改善される。
2021503845.tif 000002
【特許請求の範囲】
【請求項１】
異なる周波数領域位置に位置する複数の同期信号ブロックの構成情報を決定するステップであって、前記構成情報が前記複数の同期信号ブロックの構成パラメータを指示する、ステップと、
前記構成情報を端末デバイスに送信するステップと
を含む、通信方法。
【請求項２】
前記構成情報を端末デバイスに送信する前記ステップが、
前記構成情報を、無線リソース制御シグナリングを介して送信するステップ
を含む、請求項1に記載の通信方法。
【請求項３】
前記構成情報が、第1の構成情報および第2の構成情報を含み、前記第1の構成情報が、前記複数の同期信号ブロックの前記構成パラメータの一部分を指示し、前記第2の構成情報が、前記複数の同期信号ブロックの前記構成パラメータのその他の部分を指示する、請求項1または2に記載の通信方法。
【請求項４】
前記第1の構成情報が、前記複数の同期信号ブロックの共通構成パラメータを指示し、前記共通構成パラメータが、前記複数の同期信号ブロックのものであり、同じかもしくは同じ特性を有する構成パラメータであり、または
前記第2の構成情報が、前記複数の同期信号ブロックの非共通構成パラメータを指示し、前記非共通構成パラメータが、前記複数の同期信号ブロックのものであり、異なる、同じ特性がない構成パラメータである、請求項3に記載の通信方法。
【請求項５】
前記構成情報を端末デバイスに送信する前記ステップが、
前記第1の構成情報を、第1のメッセージを介して前記端末デバイスに送信するステップと、
前記第2の構成情報を、第2のメッセージを介して前記端末デバイスに送信するステップと
を含む、請求項3または4に記載の通信方法。
【請求項６】
ネットワークデバイスから構成情報を受信するステップであって、前記構成情報が、異なる周波数領域位置に位置する複数の同期信号ブロックの構成パラメータを指示する、ステップと、
前記構成情報に基づいて前記複数の同期信号ブロックを決定するステップと
を含む、通信方法。
【請求項７】
ネットワークデバイスから構成情報を受信する前記ステップが、
無線リソース制御シグナリングを介して、前記ネットワークデバイスから前記構成情報を受信するステップ
を含む、請求項6に記載の通信方法。
【請求項８】
前記構成情報が、第1の構成情報および第2の構成情報を含み、前記第1の構成情報が、前記複数の同期信号ブロックの前記構成パラメータの一部分を指示し、前記第2の構成情報が、前記複数の同期信号ブロックの前記構成パラメータのその他の部分を指示する、請求項6または7に記載の通信方法。
【請求項９】
前記第1の構成情報が、前記複数の同期信号ブロックの共通構成パラメータを指示し、前記共通構成パラメータが、前記複数の同期信号ブロックのものであり、同じかまたは同じ特性を有する構成パラメータであり、前記第2の構成情報が、前記複数の同期信号ブロックの非共通構成パラメータを指示し、前記非共通構成パラメータが、前記複数の同期信号ブロックのものであり、異なる、同じ特性がない構成パラメータである、請求項8に記載の通信方法。
【請求項１０】
前記第2の構成情報が、
前記複数の同期信号ブロックの各々の非共通構成パラメータの絶対値、
特定のパラメータに対する前記複数の同期信号ブロックの各々の前記非共通構成パラメータのオフセット値、および
構成パターン指示情報であって、前記構成パターン指示情報が、前記複数の同期信号バーストセットの非共通構成パラメータの構成パターンを指示する、構成パターン指示情報
の各情報のうちの少なくとも1つを含み、
前記同期信号バーストセットが、1つまたは複数の同期信号ブロックを含む、請求項4、5および9のいずれか一項に記載の通信方法。
【請求項１１】
前記構成パターン指示情報が、前記同期信号バーストセット内の実際に送信された同期信号ブロックを指示する、請求項10に記載の通信方法。
【請求項１２】
前記構成パターン指示情報にビットマップが使用される、請求項10または11に記載の通信方法。
【請求項１３】
前記構成パラメータが、時間領域位置情報、周波数領域位置情報、周期、および同期信号ブロック伝送パターン情報のうちの少なくとも1つを含む、請求項1から12のいずれか一項に記載の通信方法。
【請求項１４】
前記構成パラメータが、
前記複数の同期信号ブロック内の各同期信号バーストセットの周波数領域位置の絶対値
を含む、請求項1から13のいずれか一項に記載の通信方法。
【請求項１５】
前記構成パラメータが、
前記複数の同期信号ブロック内の各同期信号バーストセットの周期
を含む、請求項1から14のいずれか一項に記載の通信方法。
【請求項１６】
ネットワークデバイスから構成情報を受信するステップであって、前記構成情報が、異なる周波数領域位置に位置する複数の同期信号ブロックの構成パラメータを指示する、ステップと、
前記複数の同期信号ブロックを受信するステップと
を含む、通信方法。
【請求項１７】
異なる周波数領域位置に位置する複数の同期信号ブロックの構成情報を決定するステップであって、前記構成情報が前記複数の同期信号ブロックの構成パラメータを指示する、ステップと、
前記構成情報を端末デバイスに送信するステップと
を含む、通信方法。
【請求項１８】
前記構成情報が、無線リソース制御シグナリングを介して送信または受信される、請求項16または17に記載の通信方法。
【請求項１９】
前記構成情報が、前記複数の同期信号ブロックの非共通構成パラメータを指示し、前記非共通構成パラメータが、前記複数の同期信号ブロックのものであり、異なる、かつ／または同じ特性がない構成パラメータである、請求項16から18のいずれか一項に記載の通信方法。
【請求項２０】
前記構成情報が、
前記複数の同期信号ブロックの各々の構成パラメータの絶対値、および／または
特定のパラメータに対する前記複数の同期信号ブロックの各々の前記構成パラメータのオフセット値
を含む、請求項16から19のいずれか一項に記載の通信方法。
【請求項２１】
前記構成情報が構成パターン指示情報をさらに含み、前記構成パターン指示情報が、同期信号バーストセット内の実際に送信された同期信号ブロックを指示する、請求項16から20のいずれか一項に記載の通信方法。
【請求項２２】
前記構成パターン指示情報にビットマップが使用される、請求項21に記載の通信方法。
【請求項２３】
前記構成パラメータが、前記複数の同期信号ブロックの各々の時間領域位置情報、周波数領域位置情報、または周期を含む、請求項16から22のいずれか一項に記載の通信方法。
【請求項２４】
前記構成パラメータが、前記複数の同期信号ブロックの各々の前記周波数領域位置情報の絶対値を含む、請求項16から23のいずれか一項に記載の通信方法。
【請求項２５】
前記複数の同期信号ブロックが1つの搬送波上にある、請求項16から24のいずれか一項に記載の通信方法。
【請求項２６】
通信装置であって、
ネットワークデバイスから構成情報を受信するように構成された送受信機であって、前記構成情報が異なる周波数領域位置に位置する複数の同期信号ブロックの構成パラメータを指示する、送受信機
を含み、
前記送受信機が、前記複数の同期信号ブロックを受信するようにさらに構成される、通信装置。
【請求項２７】
異なる周波数領域位置に位置する複数の同期信号ブロックの構成情報を決定するように構成されたプロセッサであって、前記構成情報が前記複数の同期信号ブロックの構成パラメータを指示する、プロセッサと、
前記構成情報を端末デバイスに送信するように構成された送受信機と
を含む、通信装置。
【請求項２８】
前記構成情報が、無線リソース制御シグナリングを介して送信または受信される、請求項26または27に記載の通信装置。
【請求項２９】
前記構成情報が、前記複数の同期信号ブロックの非共通構成パラメータを指示し、前記非共通構成パラメータが、前記複数の同期信号ブロックのものであり、異なる、かつ／または同じ特性がない構成パラメータである、請求項26から28のいずれか一項に記載の通信装置。
【請求項３０】
前記構成情報が、
前記複数の同期信号ブロックの各々の構成パラメータの絶対値、および／または
特定のパラメータに対する前記複数の同期信号ブロックの各々の前記構成パラメータのオフセット値
を含む、請求項26から29のいずれか一項に記載の通信装置。
【請求項３１】
前記構成情報が構成パターン指示情報をさらに含み、前記構成パターン指示情報が、同期信号バーストセット内の実際に送信された同期信号ブロックを指示する、請求項26から30のいずれか一項に記載の通信装置。
【請求項３２】
前記構成パターン指示情報にビットマップが使用される、請求項31に記載の通信装置。
【請求項３３】
前記構成パラメータが、前記複数の同期信号ブロックの各々の時間領域位置情報、周波数領域位置情報、または周期を含む、請求項26から32のいずれか一項に記載の通信装置。
【請求項３４】
前記構成パラメータが、前記複数の同期信号ブロックの各々の前記周波数領域位置情報の絶対値を含む、請求項26から33のいずれか一項に記載の通信装置。
【請求項３５】
前記複数の同期信号ブロックが1つの搬送波上にある、請求項26から34のいずれか一項に記載の通信装置。
【請求項３６】
プロセッサと、送受信機とを含み、
前記プロセッサが、異なる周波数領域位置に位置する複数の同期信号ブロックの構成情報を決定し、前記構成情報が前記複数の同期信号ブロックの構成パラメータを指示する、ように構成され、
前記送受信機が、前記構成情報を端末デバイスに送信するように構成される、通信デバイス。
【請求項３７】
前記送受信機が、前記構成情報を、システムメッセージおよび／または無線リソース制御シグナリングを介して送信するように特に構成される、請求項36に記載の通信デバイス。
【請求項３８】
前記構成情報が、第1の構成情報および第2の構成情報を含み、前記第1の構成情報が、前記複数の同期信号ブロックの前記構成パラメータの一部分を指示し、前記第2の構成情報が、前記複数の同期信号ブロックの前記構成パラメータのその他の部分を指示する、請求項36または37に記載の通信デバイス。
【請求項３９】
前記第1の構成情報が、前記複数の同期信号ブロックの共通構成パラメータを指示し、前記共通構成パラメータが、前記複数の同期信号ブロックのものであり、同じかまたは同じ特性を有する構成パラメータであり、前記第2の構成情報が、前記複数の同期信号ブロックの非共通構成パラメータを指示し、前記非共通構成パラメータが、前記複数の同期信号ブロックのものであり、異なる、同じ特性がない構成パラメータである、請求項38に記載の通信デバイス。
【請求項４０】
前記送受信機が、
前記第1の構成情報を、第1のメッセージを介して前記端末デバイスに送信し、
前記第2の構成情報を、第2のメッセージを介して前記端末デバイスに送信する
ように特に構成される、請求項38または39に記載の通信デバイス。
【請求項４１】
プロセッサと、送受信機とを含み、
前記送受信機が、ネットワークデバイスから構成情報を受信し、前記構成情報が異なる周波数領域位置に位置する複数の同期信号ブロックの構成パラメータを指示する、ように構成され、
前記プロセッサが、前記複数の同期信号ブロック内の同期信号ブロックを決定するように構成される、通信デバイス。
【請求項４２】
前記送受信機が、前記構成情報を、システムメッセージおよび／または無線リソース制御シグナリングを介して送信するように特に構成される、請求項41に記載の通信デバイス。
【請求項４３】
前記構成情報が、第1の構成情報および第2の構成情報を含み、前記第1の構成情報が、前記複数の同期信号ブロックの前記構成パラメータの一部分を指示し、前記第2の構成情報が、前記複数の同期信号ブロックの前記構成パラメータのその他の部分を指示する、請求項41または42に記載の通信デバイス。
【請求項４４】
前記第1の構成情報が、前記複数の同期信号ブロックの共通構成パラメータを指示し、前記共通構成パラメータが、前記複数の同期信号ブロックのものであり、同じかまたは同じ特性を有する構成パラメータであり、前記第2の構成情報が、前記複数の同期信号ブロックの非共通構成パラメータを指示し、前記非共通構成パラメータが、前記複数の同期信号ブロックのものであり、異なる、同じ特性がない構成パラメータである、請求項43に記載の通信デバイス。
【請求項４５】
前記送受信機が、
前記第1の構成情報を、第1のメッセージを介して前記端末デバイスに送信し、
前記第2の構成情報を、第2のメッセージを介して前記端末デバイスに送信する
ように特に構成される、請求項43または44に記載の通信デバイス。
【請求項４６】
前記第2の構成情報が、前記複数の同期信号バーストセット内の各同期信号ブロックの非共通構成パラメータの絶対値を含むか、または
前記第2の構成情報が、特定のパラメータに対する前記複数の同期信号ブロック内の各同期信号バーストセットの非共通構成パラメータのオフセット値を含むか、または
前記第2の構成情報が、構成パターン指示情報を含み、前記構成パターン指示情報が、前記複数の同期信号バーストセットの非共通構成パラメータの構成パターンを指示し、
前記同期信号バーストセットが、1つまたは複数の同期信号ブロックを含む、請求項38から40および43から45のいずれか一項に記載の通信デバイス。
【請求項４７】
前記特定のパラメータが、前記端末デバイスに接続された同期信号ブロックが属する同期信号バーストセットに対応する構成パラメータ、または前記端末デバイスに接続された同期信号ブロックの対応するパラメータ、または特定のリソースの対応するパラメータである、請求項46に記載の通信デバイス。
【請求項４８】
前記構成パラメータが、時間領域位置情報、周波数領域位置情報、周期、および同期信号ブロック伝送パターン情報のうちの少なくとも1つを含む、請求項36から47のいずれか一項に記載の通信デバイス。
【請求項４９】
請求項1から25のいずれか一項に記載の方法を行うように構成される、通信装置。
【請求項５０】
通信装置であって、
プロセッサと、メモリと、送受信機とを含み、
前記メモリが命令を格納し、前記命令が前記プロセッサ上で実行されると、前記通信装置が請求項1から25のいずれか一項に記載の方法を行うことが可能となる、通信装置。
【請求項５１】
コンピュータ可読記憶媒体であって、前記コンピュータ可読記憶媒体が通信デバイスによって実行されるプログラムコードを格納し、前記プログラムコードが、請求項1から25のいずれか一項に記載の通信方法を行うために使用される命令を含む、コンピュータ可読記憶媒体。
【請求項５２】
命令を含むコンピュータプログラムであって、前記命令がコンピュータ上で実行されると、前記コンピュータが請求項1から25のいずれか一項に記載の方法を行うことが可能となる、コンピュータプログラム。
【請求項５３】
命令を含むチップであって、前記命令が前記チップ上で実行されると、請求項1から25のいずれか一項に記載の方法が行われる、チップ。
【請求項５４】
チップであって、
入力／出力インターフェースと、少なくとも1つのプロセッサと、少なくとも1つのメモリとを含み、
前記少なくとも1つメモリが、命令を格納するように構成され、
前記少なくとも1つのプロセッサが、前記少なくとも1つのメモリ内の前記命令を呼び出すように構成される、チップ。
【請求項５５】
端末デバイスと、ネットワークデバイスとを含み、請求項1から25のいずれか一項に記載の方法を行うように構成される、システム。
【請求項５６】
通信装置であって、
プロセッサと、メモリとを含み、
前記メモリが命令を格納し、前記命令が前記プロセッサ上で実行されると、前記通信装置が請求項1から25のいずれか一項に記載の方法を行うことが可能となる、通信装置。
【発明の詳細な説明】
【技術分野】
【０００１】
本出願は通信分野に関し、より具体的には、通信方法および通信デバイスに関する。
【背景技術】
【０００２】
新無線アクセス（new radio access、NR）システムにおける同期信号およびブロードキャスト信号は、複数の同期信号ブロック（synchronization signal block、SS block、SSB）上で搬送される。同期信号のカバレッジ距離とブロードキャスト信号のカバレッジ距離とが設計要件を満たすようにするために、各同期信号ブロックを異なるビームを介して送信でき、それによってビームフォーミング（beam forming）利得が得られる。NRシステムで定義されるように、同期信号バーストセット（SS burst set）は1つまたは複数のSS blockを含む。SS burst setは周期的に送信される。
【０００３】
NRシステムでは、広帯域搬送波について、1つの搬送波の異なる周波数領域位置での複数のSS block送信がサポートされる。ネットワークデバイスは、SS blockが送信されるリソース位置で端末にダウンリンクデータを伝送しない。したがって、レートマッチングを行うときに、端末デバイスは、SS blockが送信される実際の正確な位置を知る必要がある。しかしながら、広帯域シナリオでは、異なる周波数位置に位置するSS blockが異なる構成を有し得る。したがって、システムの通信効率を改善するために端末デバイスが伝送された同期信号ブロックをどのようにして知るかが早急に解決されるべき技術的問題になる。
【発明の概要】
【課題を解決するための手段】
【０００４】
本出願は、システムの通信効率を改善するために、通信方法および通信デバイスを提供する。
【０００５】
第1の態様によれば、通信方法が提供され、通信方法は、
異なる周波数領域位置に位置する複数の同期信号ブロックの構成情報を決定するステップであって、構成情報が複数の同期信号ブロックの構成パラメータを指示する、ステップと、
構成情報を端末デバイスに送信するステップと
を含む。
【０００６】
本発明の本実施形態における技術的解決策では、複数の同期信号ブロックを直接指示および決定するために、端末デバイスに構成情報が送信され、それによってシステムの通信効率が改善される。
【０００７】
いくつかの可能な実施態様では、構成パラメータは、時間領域位置情報、周波数領域位置情報、周期、および同期信号ブロック伝送パターン情報のうちの少なくとも1つを含む。
【０００８】
いくつかの可能な実施態様では、構成情報を端末デバイスに送信するステップは、
構成情報を、システムメッセージおよび／または無線リソース制御シグナリングを介して送信するステップ
を含む。
【０００９】
いくつかの可能な実施態様では、構成情報は、第1の構成情報および第2の構成情報を含み、第1の構成情報は、複数の同期信号ブロックの構成パラメータの一部分を指示し、第2の構成情報は、複数の同期信号ブロックの構成パラメータのその他の部分を指示する。
【００１０】
いくつかの可能な実施態様では、第1の構成情報は、複数の同期信号ブロックの共通構成パラメータを指示し、共通構成パラメータは、複数の同期信号ブロックのものであり、同じかまたは同じ特性を有する構成パラメータであり、第2の構成情報は、複数の同期信号ブロックの非共通構成パラメータを指示し、非共通構成パラメータは、複数の同期信号ブロックのものであり、異なる、同じ特性がない構成パラメータである。
【００１１】
いくつかの可能な実施態様では、構成情報を端末デバイスに送信するステップは、
第1の構成情報を、第1のメッセージを介して端末デバイスに送信するステップと、
第2の構成情報を、第2のメッセージを介して端末デバイスに送信するステップと
を含む。
【００１２】
いくつかの可能な実施態様では、第1のメッセージは、システムメッセージまたは無線リソース制御シグナリングであり、第2のメッセージは、無線リソース制御シグナリングまたはシステムメッセージである。
【００１３】
いくつかの可能な実施態様では、第2の構成情報は、複数の同期信号バーストセット内の各同期信号ブロックの非共通構成パラメータの絶対値を含むか、または第2の構成情報は、特定のパラメータに対する複数の同期信号ブロック内の各同期信号バーストセットの非共通構成パラメータのオフセット値を含むか、または第2の構成情報は、構成パターン指示情報を含み、構成パターン指示情報は、複数の同期信号バーストセットの非共通構成パラメータの構成パターンを指示し、同期信号バーストセットは、1つもしくは複数の同期信号ブロックを含む。
【００１４】
いくつかの可能な実施態様では、特定のパラメータは、端末デバイスに接続された同期信号ブロックが属する同期信号バーストセットに対応する構成パラメータ、または端末デバイスに接続された同期信号ブロックの対応するパラメータ、または特定のリソースの対応するパラメータである。
【００１５】
第2の態様によれば、通信方法が提供され、通信方法は、
ネットワークデバイスから構成情報を受信するステップであって、構成情報が、異なる周波数領域位置に位置する複数の同期信号ブロックの構成パラメータを指示する、ステップと、
構成情報に基づいて複数の同期信号を決定するステップと
を含む。
【００１６】
本発明の本実施形態における技術的解決策では、複数の同期信号ブロックを直接決定するために、ネットワークデバイスから構成情報が受信され、それによってシステムの通信効率が改善される。
【００１７】
いくつかの可能な実施態様では、構成パラメータは、時間領域位置情報、周波数領域位置情報、周期、および同期信号ブロック伝送パターン情報のうちの少なくとも1つを含む。
【００１８】
いくつかの可能な実施態様では、ネットワークデバイスから構成情報を受信するステップは、
システムメッセージおよび／または無線リソース制御シグナリングを介して、ネットワークデバイスから構成情報を受信するステップ
を含む。
【００１９】
いくつかの可能な実施態様では、構成情報は、第1の構成情報および第2の構成情報を含み、第1の構成情報は、複数の同期信号ブロックの構成パラメータの一部分を指示し、第2の構成情報は、複数の同期信号ブロックの構成パラメータのその他の部分を指示する。
【００２０】
いくつかの可能な実施態様では、第1の構成情報は、複数の同期信号ブロックの共通構成パラメータを指示し、共通構成パラメータは、複数の同期信号ブロックのものであり、同じかまたは同じ特性を有する構成パラメータであり、第2の構成情報は、複数の同期信号ブロックの非共通構成パラメータを指示し、非共通構成パラメータは、複数の同期信号ブロックのものであり、異なる、同じ特性がない構成パラメータである。
【００２１】
いくつかの可能な実施態様では、ネットワークデバイスから構成情報を受信するステップは、
第1のメッセージを介して、ネットワークデバイスから第1の構成情報を受信するステップと、
第2のメッセージを介して、ネットワークデバイスから第2の構成情報を受信するステップと
を含む。
【００２２】
いくつかの可能な実施態様では、第1のメッセージは、システムメッセージまたは無線リソース制御シグナリングであり、第2のメッセージは、無線リソース制御シグナリングまたはシステムメッセージである。
【００２３】
いくつかの可能な実施態様では、第2の構成情報は、複数の同期信号バーストセットの各々の非共通構成パラメータの絶対値を含むか、または第2の構成情報は、特定のパラメータに対する複数の同期信号ブロック内の各同期信号バーストセットの非共通構成パラメータのオフセット値を含むか、または第2の構成情報は、構成パターン指示情報を含み、構成パターン指示情報は、複数の同期信号ブロックの非共通構成パラメータの構成パターンを指示し、同期信号バーストセットは、1つもしくは複数の同期信号ブロックを含む。
【００２４】
いくつかの可能な実施態様では、特定のパラメータは、端末デバイスに接続された同期信号ブロックが属する同期信号バーストセットに対応する構成パラメータ、または端末デバイスに接続された同期信号ブロックの対応するパラメータ、または特定のリソースの対応するパラメータである。
【００２５】
第3の態様によれば、通信デバイスが提供される。通信デバイスは、プロセッサと送受信機とを含み、前述の態様または前述の態様の可能な実施態様のいずれか1つによる方法を実施することができる。
【００２６】
第4の態様によれば、通信デバイスが提供される。通信デバイスは、前述の方法設計におけるネットワークデバイスの動作を実施する機能を有する。この機能は、ハードウェアによって実施され得るか、またはハードウェアが対応するソフトウェアを実行することによって実施され得る。ハードウェアまたはソフトウェアは、前述の機能に対応する1つまたは複数のモジュールを含む。
【００２７】
いくつかの可能な実施態様では、ネットワークデバイスの構造が、プロセッサと送信機とを含む。プロセッサは、前述の方法における対応する機能を行う際にネットワークデバイスをサポートするように構成される。送信機は、ネットワークデバイスと端末デバイスとの間の通信をサポートし、前述の方法における情報または命令を端末デバイスに送信するように構成される。ネットワークデバイスは、メモリをさらに含み得る。メモリは、プロセッサに結合されるように構成され、メモリは、ネットワークデバイスに必要なプログラム命令およびデータを格納する。
【００２８】
第5の態様によれば、通信デバイスが提供される。通信デバイスは、前述の方法設計における端末デバイスの動作を実施する機能を有する。この機能は、ハードウェアによって実施され得るか、またはハードウェアが対応するソフトウェアを実行することによって実施され得る。ハードウェアまたはソフトウェアは、前述の機能に対応する1つまたは複数のモジュールを含む。
【００２９】
いくつかの可能な実施態様では、端末デバイスの構造が、プロセッサと送信機とを含む。プロセッサは、前述の方法における対応する機能を行う際に端末デバイスをサポートするように構成される。送信機は、端末デバイスとネットワークデバイスまたは端末デバイスとの間の通信をサポートし、前述の方法における情報または命令を送信するように構成される。端末デバイスは、メモリをさらに含み得る。メモリは、プロセッサに結合されるように構成され、メモリは、端末デバイスに必要なプログラム命令およびデータを格納する。
【００３０】
第6の態様によれば、コンピュータ記憶媒体が提供される。コンピュータ記憶媒体はプログラムコードを格納し、プログラムコードは、第1の態様、第2の態様、または第1および第2の態様の任意の可能な実施態様のいずれか1つによる方法を行うよう命令するために使用され得る。
【００３１】
第7の態様によれば、命令を含むコンピュータプログラム製品が提供される。コンピュータプログラム製品がコンピュータ上で動作すると、コンピュータは、第1の態様、第2の態様、または第1および第2の態様の任意の可能な実施態様による方法を行うことができるようになる。
【００３２】
第8の態様によれば、本出願はシステムチップを提供する。システムチップは、入力／出力インターフェースと、少なくとも1つのプロセッサと、少なくとも1つメモリと、バスとを含む。少なくとも1つメモリは、命令を格納するように構成され、少なくとも1つプロセッサは、少なくとも1つのメモリ内の命令を呼び出して、第1の態様または第2の態様による通信方法の動作を行うように構成される。
【図面の簡単な説明】
【００３３】
【図１】本発明の一実施形態による通信方法の概略的流れ図である。
【図２】本発明の一実施形態によるネットワークアーキテクチャの概略図である。
【図３】本発明の一実施形態による同期信号ブロックの概略的構造図である。
【図４】本発明の一実施形態による通信方法の概略的流れ図である。
【図５】本発明の一実施形態による共通構成情報の概略図である。
【図６】本発明の一実施形態による異なる周波数領域位置情報の概略図である。
【図７】本発明の一実施形態による同期信号ブロック伝送パターン情報におけるオフセット情報の概略図である。
【図８】本出願の一実施形態による通信デバイスの概略図である。
【図９】本出願の別の実施形態による通信デバイスの概略図である。
【発明を実施するための形態】
【００３４】
以下で、添付の図面を参照して本出願の技術的解決策を説明する。
【００３５】
図1は、本発明の実施形態が適用されるシステムの概略図である。図1に示されるように、システム100は、ネットワークデバイス102と、端末デバイス104および端末デバイス106とを含み得る。ネットワークデバイスは端末デバイスに無線接続される。図1には、説明のために、システムがただ1つのネットワークデバイスを含む例が示されていることを理解されたい。しかしながら、本発明の実施形態はこれに限定されない。例えば、システムは、もっと多くのネットワークデバイスを含んでいてもよく、同様にシステムはもっと多くの端末デバイスを含んでいてもよい。システムはネットワークとも呼ばれ得ることをさらに理解されたい。これについては本発明の実施形態では限定されない。
【００３６】
本発明の実施形態における通信デバイスは端末デバイスであり得る。端末デバイスは、ユーザ機器（user equipment、UE）、アクセス端末、加入者ユニット、加入者局、移動局、移動局、リモート局、リモート端末、モバイルデバイス、ユーザ端末、端末、無線通信デバイス、ユーザエージェント、またはユーザ装置でもあり得る。アクセス端末は、セルラ電話、コードレス電話、セッション開始プロトコル（session initiation protocol、SIP）電話、ワイヤレスローカルループ（wireless local loop、WLL）局、パーソナルデジタルアシスタント（personal digital assistant、PDA）、無線通信機能を有するハンドヘルドデバイス、コンピューティングデバイス、無線モデムに接続された別の処理デバイス、車載デバイス、ウェアラブルデバイス、将来の5Gネットワークにおける端末デバイス、または将来の進化型公衆陸上移動網（public land mobile network、PLMN）における端末デバイスなどであり得る。
【００３７】
限定ではなく例として、本発明の実施形態では、端末デバイスはウェアラブルデバイスでもあり得る。ウェアラブルデバイスは、ウェアラブルインテリジェントデバイスとも呼ばれ、ウェアラブル技術によって日常装着品にインテリジェントな設計を行うことによって開発された眼鏡、手袋、時計、衣類、靴などのウェアラブルデバイスの一般用語である。ウェアラブルデバイスは、身体に直接装着されるか、またはユーザの衣類もしくはアクセサリに組み込まれた携帯型デバイスである。ウェアラブルデバイスは、単なるハードウェアデバイスを超えるものであり、ソフトウェア支援、データインタラクション、およびクラウドインタラクションを介して強力な機能を実現する。広義には、ウェアラブルインテリジェントデバイスには、包括的機能を提供し、スマートフォンから独立して一部または全部の機能を実施することができる大型のデバイス、例えばスマートウォッチやスマートグラスが含まれ、特定のタイプのアプリケーション機能だけのためのものであり、スマートフォンなどの別のデバイスと連携して使用される必要があるデバイス、例えば、身体機能を監視するための様々なタイプのスマートバンドやスマートジュエリーが含まれる。
【００３８】
本発明の実施形態における通信デバイスはネットワークデバイスであり得る。ネットワークデバイスは、端末デバイスと通信するためのデバイスであり得る。ネットワークデバイスは、グローバル・システム・フォー・モバイル・コミュニケーションズ（global system of mobile communication、GSM（登録商標））もしくは符号分割多元接続（code division multiple access、CDMA）システムにおける無線基地局（base transceiver station、BTS）であり得るか、または広帯域符号分割多元接続（wideband code division multiple access、WCDMA（登録商標））システムにおけるノードB（NodeB、NB）であり得るか、またはロングタームエボリューション（long term evolution、LTE）システムおける進化型ノードB（evolutional node B、eNBまたはeNodeB）であり得るか、またはクラウド無線アクセスネットワーク（cloud radio access network、CRAN）シナリオにおける無線コントローラであり得る。また、ネットワークデバイスは、中継局、アクセスポイント、車載デバイス、ウェアラブルデバイス、将来の5Gネットワークにおけるネットワークデバイス、将来の進化型PLMNネットワークにおけるネットワークデバイスなどでもあり得る。
【００３９】
加えて、本発明の実施形態では、ネットワークデバイスはセルのためのサービスを提供し、端末デバイスは、セルで使用される伝送リソース（例えば、周波数領域リソース、すなわち、スペクトルリソース）を介してネットワークデバイスと通信する。セルは、ネットワークデバイス（例えば基地局）に対応するセルであり得る。セルはマクロ基地局に属する場合もあり、またはスモールセル（small cell）に対応する基地局に属する場合もある。この場合のスモールセルは、メトロセル（metro cell）、マイクロセル（micro cell）、ピコセル（pico cell）、フェムトセル（femto cell）などを含み得る。これらのセルは、小カバレッジエリア、低送信電力などを特徴とし、高速データ伝送サービスの提供に適する。加えて、セルはハイパーセル（hypercell）でもあり得る。
【００４０】
図2は、本発明の一実施形態に適用され得るネットワークアーキテクチャの一例の概略図である。このネットワークアーキテクチャの概略図は、次世代無線通信システムにおける新無線アクセスネットワークのアーキテクチャ図であり得る。このネットワークアーキテクチャの概略図では、ネットワークデバイスが、1つの集中ユニット（centralized unit、CU）と複数の送受信点（transmission reception point、TRP）／分散ユニット（distributed unit、DU）とに分割され得る。言い換えると、ネットワークデバイスのベースバンドベースユニット（bandwidth based unit、BBU）がDU機能エンティティおよびCU機能エンティティとして再構築される。集中ユニットおよびTRP／DUの形態および数量は本発明の実施形態に対する限定を構成しないことに留意されたい。図2に示されるネットワークデバイス1およびネットワークデバイス2は異なる形態の集中ユニットにそれぞれ対応しているが、ネットワークデバイス1およびネットワークデバイス2の機能は影響を受けない。破線範囲内の集中ユニット1およびTRP／DUはネットワークデバイス1の構成要素であり、実線範囲内の集中ユニット2およびTRP／DUはネットワークデバイス2の構成要素であり、ネットワークデバイス1およびネットワークデバイス2はNRシステムにおけるネットワークデバイスである（または基地局と呼ばれる）ことが理解できよう。
【００４１】
CUは、無線上位層プロトコルスタック機能、例えば、無線リソース制御（radio resource control、RRC）層やパケットデータ収束プロトコル（packet data convergence Protocol、PDCP）層を有し、アクセスネットワークにシンク（sink）する際のいくつかのコアネットワーク機能さえもサポートすることができる。アクセスネットワークは、エッジコンピューティングネットワークと呼ばれる。アクセスネットワークは、ビデオ、オンラインショッピング、将来の通信ネットワークのための仮想／拡張現実などの新興サービスのより高いネットワーク遅延要件を満たすことができる。
【００４２】
DUは主に、物理層機能および比較的高いリアルタイム要件を有するレイヤ2機能を有する。無線リモートユニット（radio remote unit、RRU）およびDUの伝送リソースを考慮して、DUのいくつかの物理層機能がRRU上に配置され得る。RRUの小型化とともに、DUは、より徹底的に、RRUと結合され得る。
【００４３】
CUは、集中的に配置され得る。DUは、実際のネットワーク環境に基づいて配置される。トラフィック密度が比較的高く、サイト間距離が比較的小さく、機器室リソースが限られているエリア、例えば、都心部、大学、大規模な会場では、DUは集中的にも配置され得る。しかしながら、トラフィック密度が比較的低く、サイト間距離が比較的大きいエリア、例えば、郊外や山間部では、DUは分散的に配置され得る。
【００４４】
図2に示される例示的なインターフェースS1-Cは、ネットワークデバイスとコアネットワークとの間の標準インターフェースであり、図2にはS1-Cに接続された特定のデバイスが示されていない。
【００４５】
図3は、本発明の一実施形態による同期信号ブロックの概略的構造図である。図3は、単なる一例であり、本発明の本実施形態に対する限定を構成するものではないことを理解されたい。
【００４６】
図3に示されるように、同期信号は、プライマリ同期信号（primary synchronization signal、PSS）と、セカンダリ同期信号（secondary synchronization signal、SSS）とを含み、物理ブロードキャストチャネル（physical broadcast channel，PBCH）と共に1つのSSBを形成し得る。言い換えると、NRプライマリ同期信号（NR-PSS）、NRセカンダリ同期信号（NR-SSS）、およびNR物理ブロードキャストチャネル（NR-PBCH）が1つのSSB上で送信される。簡潔には、同期信号ブロック上のNR-PSS、NR-SSS、およびNR-PBCHは、簡潔にPSS、SSS、およびPBCHとそれぞれ呼ばれ得る。
【００４７】
加えて、1つまたは複数のSSBが1つの同期信号バーストセット（SS burst set）を構成してもよく、SS burst setは周期的に送信される。言い換えると、ネットワークデバイスがSS burst setを周期的に送信することによってSSBを送信し、各SS burst setは1つまたは複数のSSBを含む。
【００４８】
同期信号ブロックおよび同期信号バーストセットの名前は本発明の本実施形態では限定されないことを理解されたい。言い換えると、同期信号ブロックおよび同期信号バーストセットは別の名前で表現されてもよい。例えば、同期信号ブロックは、SSBまたはSS block／PBCH blockとしても表現され得る。
【００４９】
同期信号バーストセットは、1つまたは複数の同期信号ブロックを含み得る。言い換えると、同期信号バーストは、異なる粒度の同期信号ブロックとして理解され得る。したがって、同期信号ブロックと同期信号バーストとは同じかまたは同様の特性を有する。本出願の本実施形態における解決策は、同期信号ブロックと同期信号バーストセットの両方に適する。同期信号バーストセットを例にとって以下で本出願の通信方法の特定の実施態様を説明する。
【００５０】
図4は、本発明の一実施形態による通信方法の概略的流れ図である。図4では、ネットワークデバイスが上述のネットワークデバイスであり、端末デバイスが上述の端末デバイスであり得る。当然ながら、実際のシステムでは、ネットワークデバイスの台数および端末デバイスの台数は、本実施形態または別の実施形態の例に限定されない。以下では詳細を繰り返さない。図4に示される通信方法は広帯域（wideband）シナリオに適用され得る。広帯域とは、1つの広帯域搬送波を指す。具体的には、1つの広帯域搬送波の異なる周波数領域位置に複数のSSB（SSB burst set）がある。また、広帯域は、1つまたは複数の搬送波を集約する（carrier aggregation、CA）ことによって得られる広帯域であってもよい。また、広帯域は、他の形態の1つまたは複数のサブバンドを含んでいてもよい。これについては本出願の本実施形態では限定されない。
【００５１】
図4に示される通信方法はステップ410、ステップ420、およびステップ430を含む。
【００５２】
ステップ410：ネットワークデバイスが、異なる周波数領域位置に位置する複数の同期信号バーストセットの構成情報を決定し、構成情報が複数の同期信号バーストセットの構成パラメータを指示する。
【００５３】
広帯域シナリオでは、同期信号バーストセットが異なる周波数領域位置で送信され得る。例えば、広帯域搬送波が複数のサブバンドを含み、同期信号バーストセットが各サブバンド上で送信され得る。
【００５４】
本出願の本実施形態では、複数の同期信号バーストセットが異なる周波数領域位置で送信されるとき、複数の同期信号バーストセットの構成情報は、端末デバイスのために、複数の同期信号バーストセットの構成パラメータを指示するように構成される。各同期信号バーストセットは、少なくとも1つの同期信号ブロックを含む。特に、同期信号バーストセットが複数の同期信号ブロックを含むとき、複数の同期信号ブロックはadditional SSBsをさらに含み得る。特定の端末デバイスについて、additional SSBsは、複数の同期信号ブロック内のUEによって最初にアクセス（camp on）された同期信号ブロック以外のSSBである。
【００５５】
本出願の本実施形態では、任意選択で、同期信号バーストセットの構成パラメータは、時間領域位置情報、周波数領域位置情報、周期、および同期信号ブロック伝送パターン（pattern）情報のうちの少なくとも1つを含み得る。
【００５６】
時間領域位置情報は、同期信号バーストセットの伝送時点、例えば、同期信号バーストセットに対応するシステムフレーム番号（system frame number、SFN）やハーフフレームインジケータ（half frame indication）を指示する。これについては本出願の本実施形態では限定されない。
【００５７】
周波数領域位置情報は、同期信号バーストセットの周波数領域位置、例えば、同期信号バーストセットが位置するリソースブロック（resource block、RB）やリソースブロックグループ（resource block group、RBG）を指示する。これについては本出願の本実施形態では限定されない。
【００５８】
周期は、同期信号バーストセットが周期的に送信される周期である。
【００５９】
同期信号ブロック伝送パターン情報は、同期信号バーストセット内の実際に送信された同期信号ブロックを指示する。例えば、ビットマップ（bitmap）の形式が使用され得る。
【００６０】
本出願の本実施形態では、任意選択で、同期信号バーストセットの構成情報は、第1の構成情報および第2の構成情報を含み得る。第1の構成情報は、複数の同期信号バーストセットの構成パラメータの一部分を指示するために使用され、第2の構成情報は、複数の同期信号バーストセットの構成パラメータのその他の部分を指示するために使用され得る。
【００６１】
任意選択で、本出願の一実施形態では、第1の構成情報は、複数の同期信号バーストセットの共通構成パラメータを指示するために使用され、共通構成パラメータは、複数の同期信号バーストセットのものであり、同じかまたは同じ特性を有する構成パラメータであり、第2の構成情報は、複数の同期信号バーストセットの非共通構成パラメータを指示するために使用され、非共通構成パラメータは、複数の同期信号バーストセットのものであり、異なる、同じ特性がない構成パラメータであり得る。
【００６２】
本出願の本実施形態では、構成パラメータが同じ特性を有することは、複数の構成パラメータが同じ情報によって指示され得ることを指示する。例えば、複数の構成パラメータ間のオフセットが同じである場合、オフセットは複数の構成パラメータを指示するために使用され得る。この場合、複数の構成パラメータは同じ特性を有する構成パラメータである。また、複数の構成パラメータが所定のパターンである場合、パターンの指示情報が複数の構成パラメータを指示するために使用され得る。この場合、複数の構成パラメータはやはり同じ特性を有する構成パラメータである。
【００６３】
特に、同期信号バーストセットの構成パラメータがすべて同じかまたは同じ特性を有するとき、すべての構成パラメータは共通構成パラメータである。言い換えると、この場合、第2の構成情報はない。同期信号バーストセットの構成パラメータがすべて異なり、同じ特性がないとき、すべての構成パラメータは非共通構成パラメータである。言い換えると、この場合、第1の構成情報はない。
【００６４】
任意選択で、本出願の一実施形態では、第2の構成情報は、複数の同期信号バーストセットの各々の非共通構成パラメータの絶対値を含み得るか、または第2の構成情報は、特定のパラメータに対する複数の同期信号バーストセットの各々の非共通構成パラメータのオフセット値を含み得るか、または第2の構成情報は、構成パターン指示情報を含むことができ、構成パターン指示情報は、複数の同期信号バーストセットの非共通構成パラメータの構成パターンを指示する。
【００６５】
具体的には、第2の構成情報は、各同期信号バーストセットの非共通構成パラメータを指示する必要がある。複数のパラメータが一緒に指示されるとき、各パラメータの絶対値が指示される方法が使用されてもよく、オフセット値が指示される方法が使用されてもよく、または複数のパラメータのパターンが指示される方法が使用されてもよい。これについては本出願の本実施形態では限定されない。
【００６６】
図5は、本発明の一実施形態による共通構成情報の概略図である。図5は、単なる一例であり、本発明の本実施形態に対する限定を構成するものではないことを理解されたい。
【００６７】
本出願の一実施形態では、第1の構成情報が時間領域位置情報を含むとき、その時間領域位置情報は共通構成パラメータである。複数の同期信号バーストセットの絶対時間領域位置が同じであり、例えば、複数の同期信号バーストセットの絶対時間領域位置が整列していることを指示し得ることが理解されよう。この場合、複数の同期信号バーストセットの共通絶対時間領域位置が共通時間領域位置情報である。また、複数の同期信号バーストセットは同じ時間領域位置特性を有することも理解されよう。
【００６８】
具体的には、図5に示されるように、周波数領域で隣接している任意の2つの同期信号バーストセット間に同じ時間領域オフセットがあるとき、その時間領域オフセットは時間領域位置情報を指示するために使用され得る。また、複数の同期信号バーストセットの時間領域分布または時間領域オフセット情報が所定のパターンを満たすときに、そのパターンの指示情報が時間領域位置情報を指示するために使用され得る。
【００６９】
本出願の一実施形態では、第1の構成情報が周波数領域位置情報を含むとき、その周波数領域位置情報は共通構成パラメータである。複数の同期信号バーストセットの相対位置が周波数領域で同じであることが理解されよう。また、複数の同期信号バーストセットは同じ周波数領域位置特性を有する、すなわち、周波数領域で隣接している任意の2つの同期信号バーストセット間に同じ周波数領域オフセットがあるか、または複数の同期信号バーストセットの周波数領域分布が事前定義のパターンによって指示されることも理解されよう。
【００７０】
任意選択で、図5に示されるように、任意の2つの同期信号バーストセット間に同じ周波数領域オフセットがあるとき、その周波数領域オフセットは周波数領域位置情報を指示するために使用され得る。また、複数の同期信号バーストセットの周波数領域分布または周波数領域オフセット情報が所定のパターンを満たすときに、そのパターンの指示情報が周波数領域位置情報を指示するために使用され得る。
【００７１】
本出願の一実施形態では、第1の構成情報が周期を含むとき、その周期は共通構成パラメータである。複数の同期信号ブロックを送信する周期が同じであることが理解されよう。
【００７２】
本出願の一実施形態では、第1の構成情報が同期信号ブロック伝送パターン情報を含むとき、その同期信号ブロック伝送パターン情報は共通構成パラメータである。複数の同期信号バーストセット内の実際に送信された同期信号ブロックが同じ周波数領域位置にあることが理解されよう。また、複数の同期信号バーストセット内の実際に送信された同期信号ブロックが特定のリソースブロックに対して同じオフセットを有するか、または複数の同期信号バーストセットの周波数領域分布が事前定義のパターンによって指示されることも理解されよう。
【００７３】
任意選択で、第1の構成情報は、時間領域位置情報、周波数領域位置情報、周期、および同期信号ブロック伝送パターン情報のうちの少なくとも1つを含み得る。
【００７４】
任意選択で、第2の構成情報が時間領域位置情報を含むとき、時間領域位置情報は非共通構成パラメータである。例えば、第2の構成情報は、各同期信号バーストセットの絶対時間領域位置情報を指示することができ、時間領域位置情報は、各同期信号バーストセットのシステムフレーム番号、ハーフフレームインジケータなどのうちの1つまたはそれらの組み合わせであり得る。
【００７５】
任意選択で、第2の構成情報はまた、複数の同期信号バーストセット間の時間領域オフセット情報も指示し得る。時間領域オフセット情報は、基準点に対する各同期信号バーストセットの時間領域オフセットに関する情報を指示することができ、端末デバイスに接続された同期信号ブロックが位置する時間領域位置が基準点として使用されるか、または特定のシステムフレーム、例えば、システムフレームのサブフレーム0が基準点として使用される。スロット、フレーム、ミリ秒、事前設定時間窓などのうちの1つまたはそれらの組み合わせが、時間領域オフセット情報の基本単位として使用され得る。これについては本出願では限定されない。
【００７６】
任意選択で、第2の構成情報はまた、複数の同期信号バーストセットの1つまたは複数の事前定義のパターンも指示することができ、パターンは、時間領域位置における複数の同期信号バーストセットの分布を指示し得る。
【００７７】
本出願の一実施形態では、第2の構成情報が時間領域位置情報のみを含むとき、ネットワークデバイスは、第1の構成情報を、システムメッセージを介して端末デバイスに送信し、第2の構成情報を、無線リソース制御シグナリングを介して端末デバイスに送信し得る。
【００７８】
任意選択で、本出願の本実施形態では、システムメッセージは、残存最小システム情報（remaining minimum system information、RMSI）または他のシステム情報（other system information、OSI）であり得る。
【００７９】
図6は、本発明の一実施形態による異なる周波数領域位置情報の概略図である。図6は、単なる一例であり、本発明の本実施形態に対する限定を構成するものではないことを理解されたい。
【００８０】
本出願の本実施形態では、第2の構成情報が周波数領域位置情報を含むとき、周波数領域位置情報は非共通構成パラメータである。例えば、第2の構成情報は、各同期信号バーストセットの絶対周波数領域位置情報を指示することができ、周波数領域位置情報は、同期信号バーストセットが位置するリソースブロック、リソースブロックグループ、同期信号グリッドなどのうちの1つまたはそれらの組み合わせに基づいて指示され得る。同期信号グリッドは、周波数領域リソースを、リソースブロックまたはリソースブロックグループ以外の粒度で分割することによって得られる周波数領域単位である。これについては本出願では限定されない。
【００８１】
任意選択で、図6のパートaに示されるように、第2の構成情報はまた、ビットマップによって各同期信号バーストセットの周波数領域位置情報を指示し得る。ビットマップは複数のビットを含み、ビットは複数の周波数領域位置に対応し、対応する周波数領域位置に同期信号バーストセットがあるかどうかを指示する。例えば、「1」は、そのビットに対応する周波数領域位置に同期信号バーストセットがあることを指示するために使用でき、「0」は、そのビットに対応する周波数領域位置に同期信号バーストセットがないことを指示する。周波数領域位置情報は、同期信号バーストセットが位置するリソースブロック、リソースブロックグループ、同期信号グリッドなどのうちの1つまたはそれらの組み合わせに基づいて指示され得る。
【００８２】
任意選択で、図6のパートbおよび図6のパートcに示されるように、第2の構成情報はまた、複数の同期信号バーストセット間の周波数領域オフセット情報も指示し得る。周波数領域オフセット情報は、基準位置に対する各同期信号バーストセットの周波数領域オフセットに関する情報を指示することができ、端末デバイスに接続された同期信号ブロックが位置する周波数領域位置が基準位置として使用されるか、または特定のリソースブロック、例えば、リソースブロック0が基準位置として使用される。周波数領域位置情報は、同期信号バーストセットが位置するリソースブロック、リソースブロックグループ、同期信号グリッドなどのうちの1つまたはそれらの組み合わせに基づいて指示され得る。同期信号グリッドは、周波数領域リソースを、リソースブロックまたはリソースブロックグループ以外の粒度で分割することによって得られる周波数領域単位である。これについては本出願では限定されない。
【００８３】
任意選択で、第2の構成情報はまた、複数の同期信号バーストセットの周波数領域分布を事前定義のパターンによって指示し得る。
【００８４】
本出願の一実施形態では、第2の構成情報が周波数領域位置情報のみを含むとき、ネットワークデバイスは、第1の構成情報を、システムメッセージを介して端末デバイスに送信し、第2の構成情報を、無線リソース制御シグナリングを介して端末デバイスに送信し得る。
【００８５】
本出願の一実施形態では、第2の構成情報が周期を含むとき、その周期は非共通構成パラメータであり、第2の構成情報は、異なる周波数領域位置に位置する各同期信号バーストセットの周期を指示し得る。各同期信号バーストセットの周期は、同期信号バーストセットが周期的に送信される周期であり得る。
【００８６】
本出願の一実施形態では、第2の構成情報が周期のみを含むとき、ネットワークデバイスは、第1の構成情報を、システムメッセージを介して端末デバイスに送信し、第2の構成情報を、無線リソース制御シグナリングを介して端末デバイスに送信し得る。
【００８７】
本出願の一実施形態では、第2の構成情報が同期信号ブロック伝送パターン情報を含むとき、その同期信号ブロック伝送パターン情報は非共通構成パラメータであり、第2の構成情報はまた、ビットマップによって各同期信号バーストセットの同期信号ブロック伝送パターン情報を指示し得る。ビットマップは複数のビットを含み、ビットは異なる周波数領域位置に位置する同期信号バーストセットにそれぞれ対応し、各同期信号バーストセットに対応する同期信号ブロック伝送パターン情報を指示する。
【００８８】
任意選択で、第2の構成情報はまた、グループ間ビットマップおよびグループ内ビットマップによって複数の同期信号バーストセットを指示し得る。例えば、1つの同期信号バーストセットは最大64の同期信号ブロックを含み得る。64の同期信号ブロックを8つの同期信号ブロックグループに分割でき、8つの同期信号ブロックグループは8つのグループ間ビットマップに対応する。各グループは8つの同期信号ブロックを含み、8つの同期信号ブロックは8つのグループ内ビットマップに対応する。対応するビットマップ内の対応するビットが、同期信号ブロックグループまたは同期信号ブロックが伝送されているかどうかを指示する。異なる周波数領域位置に位置するN個の同期信号バーストセットが、N個のグループ間ビットマップおよびN個のグループ内ビットマップに対応する必要があり、Nは正の整数である。
【００８９】
図7は、本発明の一実施形態による同期信号ブロック伝送パターン情報におけるオフセット情報の概略図である。図7は、単なる一例であり、本発明の本実施形態に対する限定を構成するものではないことを理解されたい。
【００９０】
任意選択で、図7に示されるように、第2の構成情報はまた、複数の同期信号バーストセットの同期信号ブロック伝送パターン情報のパターンオフセットを指示し得る。オフセット情報は、基準位置に対する各同期信号バーストセットのオフセットに関する情報を指示することができ、端末デバイスに接続された同期信号ブロックが位置する周波数領域位置が基準位置として使用されるか、または特定のリソースブロック、例えば、リソースブロック0が基準位置として使用される。同期信号ブロック、変調／復調シンボルなどのうちの1つまたはそれらの組み合わせがオフセット情報の基本単位として使用され得る。これについては本出願では限定されない。
【００９１】
任意選択で、第2の構成情報はまた、事前定義の構造によって複数の同期信号バーストセットの同期信号ブロック伝送パターン情報を指示し得る。
【００９２】
本出願の一実施形態では、第2の構成情報が同期信号ブロック伝送パターン情報のみを含むとき、ネットワークデバイスは、第1の構成情報を、システムメッセージを介して端末デバイスに送信し、第2の構成情報を、無線リソース制御シグナリングを介して端末デバイスに送信し得る。
【００９３】
任意選択で、本出願の一実施形態では、第2の構成情報は、周波数領域位置情報、時間領域位置情報、周期、および同期信号ブロック伝送パターン情報のうちの少なくとも1つを含み得る。これに対応して、第1の構成情報は、第2の構成情報に含まれない構成パラメータのうちの少なくとも1つを含む。ネットワークデバイスは、第1の構成情報を、システムメッセージを介して端末デバイスに送信し、第2の構成情報を、無線リソース制御シグナリングを介して端末デバイスに送信する。
【００９４】
任意選択で、第2の構成情報が時間領域位置情報を含むとき、第2の構成情報は、各同期信号バーストセットの絶対時間領域位置情報または複数の同期信号バーストセット間の時間領域オフセット情報を指示することができ、第2の構成情報が周波数領域位置情報を含むとき、第2の構成情報は、各同期信号バーストセットの絶対周波数領域位置情報、複数の同期信号バーストセット間の周波数領域オフセット情報、または事前定義のパターンを指示することができ、第2の構成情報が同期信号ブロック伝送パターン情報を含むとき、第2の構成情報は、各同期信号ブロック伝送パターン情報のオフセット情報または事前定義の構造を指示することができる。
【００９５】
例えば、第2の構成情報が、周波数領域位置情報および時間領域位置情報を含み、第1の構成情報が、周期および同期信号ブロック伝送パターン情報を含み得るとき、ネットワークデバイスは、第1の構成情報を、システムメッセージを介して端末デバイスに送信し、第2の構成情報を、無線リソース制御シグナリングを介して端末デバイスに送信し得る。
【００９６】
同様に、第2の構成情報が、周波数領域位置情報および同期信号ブロック伝送パターン情報を含み、第1の構成情報が、時間領域位置情報および周期を含み得るとき、ネットワークデバイスは、第1の構成情報を、システムメッセージを介して端末デバイスに送信し、第2の構成情報を、無線リソース制御シグナリングを介して端末デバイスに送信し得る。
【００９７】
上述の様々な実施形態では、端末デバイスは、システムメッセージを介して第1の構成情報を取得および決定し、無線リソース制御シグナリングを介して第2の構成情報を取得および決定する。
【００９８】
ステップ420：ネットワークデバイスが端末デバイスに構成情報を送信する。これに対応して、端末デバイスは構成情報を受信する。
【００９９】
任意選択で、本出願の一実施形態では、ネットワークデバイスは、システムメッセージおよび／または無線リソース制御シグナリングを介して端末デバイスに構成情報を送信し得る。システムメッセージは、残存最小システム情報または他のシステム情報であり得る。
【０１００】
任意選択で、本出願の一実施形態では、ネットワークデバイスは、第1のメッセージを介して端末デバイスに第1の構成情報を送信し、ネットワークデバイスは、第2のメッセージを介して端末デバイスに第2の構成情報を送信し得る。
【０１０１】
任意選択で、本出願の一実施形態では、第1のメッセージは、システムメッセージまたは無線リソース制御シグナリングであり、第2のメッセージは、無線リソース制御シグナリングまたはシステムメッセージであり得る。
【０１０２】
例えば、本出願の一実施形態では、第1の構成情報は、周波数領域位置情報、周期、および同期信号ブロック伝送パターン情報のうちの少なくとも1つを含み、第2の構成情報は、時間領域位置情報を含み得る。ネットワークデバイスは、第1の構成情報を、システムメッセージを介して端末デバイスに送信し、第2の構成情報を、無線リソース制御シグナリングを介して端末デバイスに送信し得る。
【０１０３】
任意選択で、第1の構成情報は、時間領域位置情報、周期、および同期信号ブロック伝送パターン情報のうちの少なくとも1つを含み、第2の構成情報は、周波数領域位置情報を含み得る。ネットワークデバイスは、第1の構成情報を、システムメッセージを介して端末デバイスに指示することができ、第2の構成情報を、無線リソース制御シグナリングを介して端末デバイスに送信し得る。
【０１０４】
任意選択で、第1の構成情報は、周波数領域位置情報、時間領域位置情報、および同期信号ブロック伝送パターン情報のうちの少なくとも1つを含み、第2の構成情報は周期を含み得る。ネットワークデバイスは、第1の構成情報を、システムメッセージを介して端末デバイスに送信し、第2の構成情報を、無線リソース制御シグナリングを介して端末デバイスに送信し得る。
【０１０５】
任意選択で、第1の構成情報は、周波数領域位置情報、時間領域位置情報、および周期のうちの少なくとも1つを含み、第2の構成情報は、同期信号ブロック伝送パターン情報を含み得る。ネットワークデバイスは、第1の構成情報を、システムメッセージを介して端末デバイスに指示することができ、第2の構成情報を、無線リソース制御シグナリングを介して端末デバイスに送信し得る。
【０１０６】
任意選択で、本出願の一実施形態では、第2の構成情報は、周波数領域位置情報、時間領域位置情報、周期、および同期信号ブロック伝送パターン情報のうちの少なくとも1つを含み得る。これに対応して、第1の構成情報は、第2の構成情報に含まれない構成パラメータのうちの少なくとも1つを含み得る。ネットワークデバイスは、第1の構成情報を、システムメッセージを介して端末デバイスに送信し、第2の構成情報を、無線リソース制御シグナリングを介して端末デバイスに送信し得る。
【０１０７】
任意選択で、本出願の一実施形態では、第2の構成情報は、周波数領域位置情報、時間領域位置情報、周期、および同期信号ブロック伝送パターン情報のうちの少なくとも1つを含み得る。これに対応して、第1の構成情報は、第2の構成情報に含まれない構成パラメータのうちの少なくとも1つを含み得る。ネットワークデバイスは、第1の構成情報を、無線リソース制御シグナリングを介して端末デバイスに送信し、第2の構成情報を、無線リソース制御シグナリングを介して端末デバイスに送信し得る。
【０１０８】
任意選択で、本出願の一実施形態では、第2の構成情報は、周波数領域位置情報、時間領域位置情報、周期、および同期信号ブロック伝送パターン情報のうちの少なくとも1つを含み得る。これに対応して、第1の構成情報は、第2の構成情報に含まれない構成パラメータのうちの少なくとも1つを含み得る。ネットワークデバイスは、第1の構成情報を、システムメッセージを介して端末デバイスに送信し、第2の構成情報を、システムメッセージを介して端末デバイスに送信し得る。
【０１０９】
任意選択で、第2の構成情報は、周波数領域位置情報、時間領域位置情報、周期、および同期信号ブロック伝送パターン情報のうちの少なくとも1つを含む。これに対応して、第1の構成情報は、第2の構成情報に含まれない構成パラメータを含む。ネットワークデバイスは、第1の構成情報を、システムメッセージまたは無線リソース制御シグナリングを介して端末デバイスに送信し、第2の構成情報を、システムメッセージまたは無線リソース制御シグナリングを介して端末デバイスに送信し得る。
【０１１０】
任意選択で、第1の構成情報は、周波数領域位置情報、時間領域位置情報、周期、および同期信号ブロック伝送パターン情報のうちの少なくとも1つを含む。ネットワークデバイスは、第1の構成情報を、システムメッセージまたは無線リソース制御シグナリングを介して端末デバイスに送信し得る。
【０１１１】
任意選択で、第2の構成情報は、周波数領域位置情報、時間領域位置情報、周期、および同期信号ブロック伝送パターン情報のうちの少なくとも1つを含む。ネットワークデバイスは、第2の構成情報を、システムメッセージまたは無線リソース制御シグナリングを介して端末デバイスに送信し得る。
【０１１２】
任意選択で、本出願の本実施形態では、構成情報は、周波数領域位置情報、時間領域位置情報、周期、および同期信号ブロック伝送パターン情報のうちの少なくとも1つを含む。ネットワークデバイスは、構成情報を、システムメッセージまたは無線リソース制御シグナリングを介して端末デバイスに送信し得る。
【０１１３】
上述の様々な実施形態では、端末デバイスは、システムメッセージまたは無線リソース制御シグナリングを介して第1の構成情報を受信および取得し、システムメッセージまたは無線リソース制御シグナリングを介して第2の構成情報を受信および取得する。
【０１１４】
ステップ430：端末デバイスが、構成情報に基づいて複数の同期信号バーストセットの構成パラメータを決定する。
【０１１５】
端末デバイスは、ネットワークデバイスから構成情報を受信し、構成情報の構成情報を取得するので、複数の同期信号バーストセットの同期信号ブロックを直接決定することができる。
【０１１６】
任意選択で、構成情報は、第1の構成情報および第2の構成情報を含み得る。第1の構成情報は、複数の同期信号バーストセットの構成パラメータの一部分を指示するために使用され、第2の構成情報は、複数の同期信号バーストセットの構成パラメータのその他の部分を指示するために使用され得る。
【０１１７】
任意選択で、第1の構成情報は、複数の同期信号バーストセットの共通構成パラメータを決定するために使用され、第2の構成情報は、複数の同期信号バーストセットの非共通構成パラメータを決定するために使用され得る。
【０１１８】
具体的には、同期信号バーストセットの構成パラメータは、時間領域位置情報、周波数領域位置情報、周期、および同期信号ブロック伝送パターン情報のうちの少なくとも1つを含み得る。
【０１１９】
任意選択で、端末デバイスは、システムメッセージおよび／または無線リソース制御シグナリングを介して、ネットワークデバイスから構成情報を受信し得る。これについては本出願の本実施形態では限定されない。
【０１２０】
任意選択で、端末デバイスは、システムメッセージまたは無線リソース制御シグナリングを介して、ネットワークデバイスから第1の構成情報を受信し、システムメッセージまたは無線リソース制御シグナリングを介して、ネットワークデバイスから第2の構成情報を受信し得る。
【０１２１】
言い換えると、端末デバイスは、システムメッセージまたは無線リソース制御シグナリングを介して、ネットワークデバイスから構成情報を受信し得る。
【０１２２】
本出願の前述の実施形態では、ネットワークデバイスは、明示的な指示方法または暗黙的な指示方法で端末デバイスに同期信号バーストセットの構成情報を指示し得る。例えば、明示的な指示方法が使用される場合、ネットワークデバイスは、システムメッセージもしくは無線リソース制御シグナリング内の予約フィールドもしくは特定のフィールドを介して端末デバイスに構成情報を指示し得るか、または事前定義の方法もしくはプロトコルで指定された方法で端末デバイスに構成情報を指示し得る。これらの方法は、本出願における説明のための例として使用されているにすぎず、本出願の本実施形態はこれに限定されないことを理解されたい。例えば、ネットワークデバイスはまた、ピギーバック方式で他の指示情報を介して構成情報を指示してもよい。同様に、ネットワークデバイスはまた、特定のフィールドの異なる値の意味を事前定義することによって端末デバイスに構成情報を指示してもよい。情報を指示するために使用され得る他のすべての方法が本出願の実施形態として使用され得ることをさらに理解されたい。これについては本出願の本実施形態では限定されない。
【０１２３】
図8は、本出願の一実施形態による通信デバイスの概略図である。通信デバイスは、方法実施形態におけるネットワークデバイスに対応し、方法におけるネットワークデバイスの任意の機能を有し得る。
【０１２４】
図8に示されるように、通信デバイスは、プロセッサ810と送受信機820とを含む。
【０１２５】
任意選択で、送受信機820は、リモート無線ユニット（remote radio unit、RRU）、送受信部、送受信機、送受信回路などと呼ばれ得る。送受信機820は、少なくとも1つのアンテナと無線周波数ユニットとを含み得る。送受信機820は、無線周波数信号を受信および送信し、無線周波数信号とベースバンド信号との間の変換を行うように構成され得る。
【０１２６】
任意選択で、通信デバイスは、ベースバンドユニット（baseband unit、BBU）を含むことができ、ベースバンドユニットはプロセッサ810を含む。ベースバンドユニットは、チャネル符号化、多重化、変調、またはスペクトル拡散などのベースバンド処理を行い、ネットワークデバイスを制御するように構成され得る。送受信機820とベースバンドユニットとは、物理的に一緒に配置され得るか、または物理的に別々に配置され得る。言い換えると、通信デバイスは分散ネットワークデバイスである。
【０１２７】
一例では、ベースバンドユニットは1つまたは複数の基板を含み、複数の基板は、単一のアクセス規格の無線アクセスネットワークを一緒にサポートし得るか、または異なるアクセス規格の無線アクセスネットワークをそれぞれサポートし得る。
【０１２８】
一例では、ベースバンドユニットは、前述のDU機能エンティティおよび前述のCU機能エンティティとして再構築され得る。
【０１２９】
ベースバンドユニットはプロセッサ810を含む。プロセッサ810は、通信デバイスを、前述の方法実施形態における対応する動作を行うよう制御するように構成され得る。任意選択で、ベースバンドユニットはメモリをさらに含むことができ、メモリは、必要な命令および必要なデータを格納するように構成される。
【０１３０】
本出願の一実施形態では、プロセッサ810は、異なる周波数領域位置に位置する複数の同期信号バーストセットの構成情報を決定するように構成される。構成情報は、複数の同期信号バーストセットの構成パラメータを指示する。
【０１３１】
送受信機820は、構成情報を端末デバイスに送信するように構成される。
【０１３２】
任意選択で、構成パラメータは、時間領域位置情報、周波数領域位置情報、周期、および同期信号ブロック伝送パターン情報のうちの少なくとも1つを含む。
【０１３３】
任意選択で、送受信機820は、システムメッセージおよび／または無線リソース制御シグナリングを介して構成情報を送信するようにさらに構成される。
【０１３４】
任意選択で、構成情報は、第1の構成情報および第2の構成情報を含む。第1の構成情報は、複数の同期信号バーストセットの構成パラメータの一部分を指示し、第2の構成情報は、複数の同期信号バーストセットの構成パラメータのその他の部分を指示する。
【０１３５】
任意選択で、第1の構成情報は、複数の同期信号バーストセットの共通構成パラメータを指示し、共通構成パラメータは、複数の同期信号バーストセットのものであり、同じかまたは同じ特性を有する構成パラメータであり、第2の構成情報は、複数の同期信号バーストセットの非共通構成パラメータを指示し、非共通構成パラメータは、複数の同期信号バーストセットのものであり、異なる、同じ特性がない構成パラメータである。
【０１３６】
送受信機820は、第1の構成情報を、第1のメッセージを介して端末デバイスに送信し、第2の構成情報を、第2のメッセージを介して端末デバイスに送信する、ようにさらに構成される。
【０１３７】
任意選択で、第1のメッセージは、システムメッセージまたは無線リソース制御シグナリングであり、第2のメッセージは、無線リソース制御シグナリングまたはシステムメッセージである。
【０１３８】
任意選択で、第2の構成情報は、複数の同期信号バーストセットの各々の非共通構成パラメータの絶対値を含むか、または第2の構成情報は、特定のパラメータに対する複数の同期信号バーストセットの各々の非共通構成パラメータのオフセット値を含むか、または第2の構成情報は、構成パターン指示情報を含み、構成パターン指示情報は、複数の同期信号バーストセットの非共通構成パラメータの構成パターンを指示する。
【０１３９】
任意選択で、特定のパラメータは、端末デバイスに接続された同期信号ブロックが属する同期信号バーストセットに対応する構成パラメータ、または端末デバイスに接続された同期信号ブロックの対応するパラメータ、または特定のリソースの対応するパラメータである。
【０１４０】
図9は、本出願の別の実施形態による通信デバイスの概略図である。図9は、単なる一例であり、本発明の本実施形態に対する限定を構成するものではないことを理解されたい。
【０１４１】
通信デバイスは、方法実施形態における端末デバイスに対応し、方法における端末デバイスの任意の機能を有し得る。
【０１４２】
図9に示されるように、通信デバイスは、送受信機910とプロセッサ920とを含む。
【０１４３】
任意選択で、送受信機910は、制御回路とアンテナとを含み得る。制御回路は、ベースバンド信号と無線周波数信号との間の変換を行い、無線周波数信号を処理するように構成され得る。アンテナは、無線周波数信号を受信および送信するように構成され得る。
【０１４４】
任意選択で、通信デバイスは、端末デバイスの別の主構成要素、例えば、メモリや入力／出力装置をさらに含み得る。
【０１４５】
プロセッサ920は、通信プロトコルおよび通信データを処理し、通信デバイス全体を制御し、ソフトウェアプログラムを実行し、ソフトウェアプログラムのデータを処理し、例えば、通信デバイスが前述の方法実施形態における対応する動作を行うのを支援するように構成され得る。メモリは、ソフトウェアプログラムおよびデータを格納するように主に構成される。通信デバイスの電源が投入された後、プロセッサ920は、メモリ内のソフトウェアプログラムを読み出し、ソフトウェアプログラムの命令を解釈および実行し、ソフトウェアプログラムのデータを処理し得る。
【０１４６】
本出願の一実施形態では、送受信機910は、ネットワークデバイスから構成情報を受信するように構成される。構成情報は、異なる周波数領域位置に位置する複数の同期信号バーストセットの構成パラメータを指示する。
【０１４７】
プロセッサ920は、構成情報に基づいて複数の同期信号バーストセットの同期信号ブロックを決定するように構成される。
【０１４８】
任意選択で、構成パラメータは、時間領域位置情報、周波数領域位置情報、周期、および同期信号ブロック伝送パターン情報のうちの少なくとも1つを含み得る。
【０１４９】
任意選択で、送受信機910は、システムメッセージおよび／または無線リソース制御シグナリングを介して構成情報を送信するように特に構成される。
【０１５０】
任意選択で、構成情報は、第1の構成情報および第2の構成情報を含み得る。第1の構成情報は、複数の同期信号バーストセットの構成パラメータの一部分を指示し、第2の構成情報は、複数の同期信号バーストセットの構成パラメータのその他の部分を指示する。
【０１５１】
任意選択で、第1の構成情報は、複数の同期信号バーストセットの共通構成パラメータを指示し、共通構成パラメータは、複数の同期信号バーストセットのものであり、同じかまたは同じ特性を有する構成パラメータであり、第2の構成情報は、複数の同期信号バーストセットの非共通構成パラメータを指示し、非共通構成パラメータは、複数の同期信号バーストセットのものであり、異なる、同じ特性がない構成パラメータである。
【０１５２】
任意選択で、送受信機910は、第1の構成情報を、第1のメッセージを介して端末デバイスに送信し、第2の構成情報を、第2のメッセージを介して端末デバイスに送信するように特に構成される。
【０１５３】
任意選択で、第1のメッセージは、システムメッセージまたは無線リソース制御シグナリングであり、第2のメッセージは、無線リソース制御シグナリングまたはシステムメッセージである。
【０１５４】
任意選択で、第2の構成情報は、複数の同期信号バーストセットの各々の非共通構成パラメータの絶対値を含むか、または第2の構成情報は、特定のパラメータに対する複数の同期信号バーストセットの各々の非共通構成パラメータのオフセット値を含むか、または第2の構成情報は、構成パターン指示情報を含み、構成パターン指示情報は、複数の同期信号バーストセットの非共通構成パラメータの構成パターンを指示する。
【０１５５】
任意選択で、特定のパラメータは、端末デバイスに接続された同期信号ブロックが属する同期信号バーストセットに対応する構成パラメータ、または端末デバイスに接続された同期信号ブロックの対応するパラメータ、または特定のリソースの対応するパラメータである。
【０１５６】
本発明の一実施形態は、プロセッサとインターフェースとを含む、処理装置をさらに提供する。
【０１５７】
プロセッサは、本発明の前述の実施形態における方法を行うように構成される。
【０１５８】
処理装置はチップであり得る。プロセッサは、ハードウェアによって実施され得るか、またはソフトウェアによって実施され得る。プロセッサがハードウェアによって実施される場合、プロセッサは論理回路、集積回路などであり得る。プロセッサがソフトウェアによって実施される場合、プロセッサは、汎用プロセッサであってもよく、メモリに格納されたソフトウェアコードを読み出すことによって実施される。メモリは、プロセッサに統合されていてもよく、またはプロセッサの外部に位置し、独立して存在していてもよい。
【０１５９】
処理装置は、フィールドプログラマブルゲート・アレイ（Field-Programmable Gate Array（FPGA））であり得るか、特定用途向け集積回路（Application Specific Integrated Circuit、ASIC）であり得るか、システムオンチップ（System on Chip、SoC）であり得るか、中央処理装置（Central Processor Unit、CPU）であり得るか、ネットワークプロセッサ（Network Processor、NP）であり得るか、デジタル信号処理回路（Digital Signal Processor、DSP）であり得るか、マイクロコントロールユニット（Micro Controller Unit、MCU）であり得るか、またはプログラマブルコントローラ（Programmable Logic Device、PLD）もしくは別の集積チップであり得る。
【０１６０】
本発明の一実施形態は、処理部と送受信部とを含む、通信デバイスをさらに提供する。処理部および送受信部は、ソフトウェアによって実施され得るか、またはハードウェアによって実施され得る。ハードウェアによって実施される場合、処理部は図8のプロセッサ810であり、送受信部は図8の送受信機820であり得るか、または処理部は図9の送受信機910であり、送受信部は図9のプロセッサ920であり得る。
【０１６１】
本発明の一実施形態は、前述のネットワークデバイスと前述の端末デバイスとを含む、通信システムをさらに提供する。
【０１６２】
前述の実施形態の全部または一部が、ソフトウェア、ハードウェア、ファームウェア、またはそれらの任意の組み合わせによって実現され得る。実施形態を実現するためにソフトウェアが使用される場合、実施形態の全部または一部がコンピュータプログラム製品の形態で実現され得る。コンピュータプログラム製品は、1つまたは複数のコンピュータ命令を含む。コンピュータプログラム命令がロードされ、コンピュータ上で実行されると、本発明の実施形態による手順または機能の全部または一部が生成される。コンピュータは、汎用コンピュータ、専用コンピュータ、コンピュータネットワーク、または別のプログラマブル装置であり得る。コンピュータ命令は、コンピュータ可読記憶媒体に格納され得るか、またはコンピュータ可読記憶媒体から別のコンピュータ可読記憶媒体に伝送され得る。例えば、コンピュータ命令は、ウェブサイト、コンピュータ、サーバ、またはデータセンタから別のウェブサイト、コンピュータ、サーバ、またはデータセンタに、有線（例えば、同軸ケーブル、光ファイバ、もしくはデジタル加入者線（DSL））または無線（例えば、赤外線、電波、マイクロ波など）方式で伝送され得る。コンピュータ可読記憶媒体は、コンピュータがアクセスできる任意の使用可能な媒体、または、1つもしくは複数の使用可能な媒体を統合した、サーバやデータセンタなどのデータ記憶デバイスであり得る。使用可能な媒体は、磁気媒体（例えば、フロッピー（登録商標）ディスク、ハードディスク、または磁気テープ）、光媒体（例えば、DVD）、半導体媒体（例えば、ソリッドステートディスク（Solid State Disk、SSD））などであり得る。
【０１６３】
本発明の本実施形態における「および／または」という用語は、関連付けられる対象間の結合関係を記述するにすぎず、3つの関係が存在し得ることを表すことを理解されたい。例えば、Aおよび／またはBは、Aのみが存在する、AとBの両方が存在する、Bのみが存在する、という3つの場合を表し得る。加えて、本明細書における文字「／」は一般に、関連付けられる対象間の「または」の関係を指示する。
【０１６４】
本明細書で開示される実施形態に記載される例と組み合わせて、各ユニットおよびアルゴリズムステップが、電子ハードウェアによって、またはコンピュータソフトウェアと電子ハードウェアの組み合わせによって実現され得ることを、当業者は理解するであろう。各機能が行われるのがハードウェアによってかそれともソフトウェアによってかは、技術的解決策の特定の用途および設計上の制約条件に依存する。当業者であれば、特定の用途ごとに様々な方法を使用して記載の機能を実施し得るが、その実施態様は本出願の範囲を超えるものと見なされるべきではない。
【０１６５】
説明を簡便にするために、前述のシステム、装置、およびユニットの詳細な動作プロセスについては、前述の方法実施形態における対応するプロセスを参照することが当業者には明確に理解されよう。ここでは詳細を繰り返さない。
【０１６６】
本出願で提供されるいくつかの実施形態においては、開示のシステム、装置、および方法が他のやり方で実現され得ることを理解されたい。例えば、記載の装置実施形態は単なる例にすぎない。例えば、ユニット分割は単なる論理的機能分割にすぎず、実際の実装に際しては他の分割とすることもできる。例えば、複数のユニットもしくはコンポーネントが別のシステムに結合もしくは統合される場合もあり、またはいくつかの特徴が無視されるかもしくは実行されない場合もある。加えて、図示または記載の相互結合または直接結合または通信接続が、いくつかのインターフェースを介して実現されてもよい。装置間またはユニット間の間接結合または通信接続は、電気的形態、機械的形態、または他の形態として実現されてもよい。
【０１６７】
別々の部品として記載されたユニットは物理的に分離している場合もそうではない場合もあり、ユニットとして図示された部品は物理的ユニットである場合もそうではない場合もあり、一箇所に位置する場合もあり、複数のネットワークユニット上に分散されている場合もある。ユニットの一部または全部が、各実施形態の解決策の目的を達成するための実際の要件に基づいて選択されてもよい。
【０１６８】
加えて、本出願の各実施形態における機能ユニットは1つの処理ユニットに統合されてもよく、またはユニットの各々が物理的に独立して存在していてもよく、または2つ以上のユニットが1つのユニットに統合される。
【０１６９】
各機能がソフトウェア機能ユニットの形態で実現され、独立した製品として販売または使用される場合に、それらの機能は、コンピュータ可読記憶媒体に格納され得る。そうした理解に基づき、本出願の技術的解決策は本質的に、または先行技術に寄与する部分が、または技術的解決策の一部がソフトウェア製品の形態で実現され得る。コンピュータソフトウェア製品は記憶媒体に格納され、（パーソナルコンピュータ、サーバ、ネットワークデバイスなどとし得る）コンピュータデバイスに、本出願の実施形態に記載される方法のステップの全部または一部を実行するよう命令するためのいくつかの命令を含む。前述の記憶媒体は、USBフラッシュドライブ、リムーバブルハードディスク、読取り専用メモリ（Read-Only Memory、ROM）、ランダムアクセスメモリ（Random Access Memory、RAM）、磁気ディスク、または光ディスクなどの、プログラムコードを格納することができる任意の媒体を含む。
【０１７０】
以上の説明は、本出願の特定に実施態様にすぎず、本出願の保護範囲を限定するためのものではない。本出願で開示された技術範囲内で当業者が容易に思いつく一切の変形または置換は、本出願の保護範囲内であるものとする。したがって、本出願の保護範囲は、特許請求の範囲の保護範囲に従うものとする。
【符号の説明】
【０１７１】
100  システム
102  ネットワークデバイス
104  端末デバイス
106  端末デバイス
810  プロセッサ
820  送受信機
910  送受信機
920  プロセッサ
【図１】
2021503845.tif 000003
【図２】
2021503845.tif 000004
【図３】
2021503845.tif 000005
【図４】
2021503845.tif 000006
【図５】
2021503845.tif 000007
【図６】
2021503845.tif 000008
【図７】
2021503845.tif 000009
【図８】
2021503845.tif 000010
【図９】
2021503845.tif 000011
【手続補正書】
【提出日】令和2年6月26日(2020.6.26)
【手続補正１】
【補正対象書類名】明細書
【補正対象項目名】００１０
【補正方法】変更
【補正の内容】
【００１０】
いくつかの可能な実施態様では、第1の構成情報は、複数の同期信号ブロックの共通構成パラメータを指示し、共通構成パラメータは、複数の同期信号ブロックのものであり、同じかまたは同じ特性を有する構成パラメータであり、第2の構成情報は、複数の同期信号ブロックの非共通構成パラメータを指示し、非共通構成パラメータは、複数の同期信号ブロックのものであり、異なる、および／または同じ特性がない構成パラメータである。
【手続補正２】
【補正対象書類名】明細書
【補正対象項目名】００１３
【補正方法】変更
【補正の内容】
【００１３】
いくつかの可能な実施態様では、第2の構成情報は、複数の同期信号ブロックの各々の非共通構成パラメータの絶対値を含むか、または第2の構成情報は、特定のパラメータに対する複数の同期信号ブロックの各々の非共通構成パラメータのオフセット値を含むか、または第2の構成情報は、構成パターン指示情報を含み、構成パターン指示情報は、複数の同期信号バーストセットの非共通構成パラメータの構成パターンを指示し、同期信号バーストセットは、1つもしくは複数の同期信号ブロックを含む。
【手続補正３】
【補正対象書類名】明細書
【補正対象項目名】００１５
【補正方法】変更
【補正の内容】
【００１５】
第2の態様によれば、通信方法が提供され、通信方法は、
ネットワークデバイスから構成情報を受信するステップであって、構成情報が、異なる周波数領域位置に位置する複数の同期信号ブロックの構成パラメータを指示する、ステップと、
構成情報に基づいて複数の同期信号ブロックを決定するステップと
を含む。
【手続補正４】
【補正対象書類名】明細書
【補正対象項目名】００２０
【補正方法】変更
【補正の内容】
【００２０】
いくつかの可能な実施態様では、第1の構成情報は、複数の同期信号ブロックの共通構成パラメータを指示し、共通構成パラメータは、複数の同期信号ブロックのものであり、同じかまたは同じ特性を有する構成パラメータであり、第2の構成情報は、複数の同期信号ブロックの非共通構成パラメータを指示し、非共通構成パラメータは、複数の同期信号ブロックのものであり、異なる、および／または同じ特性がない構成パラメータである。
【手続補正５】
【補正対象書類名】明細書
【補正対象項目名】００２３
【補正方法】変更
【補正の内容】
【００２３】
いくつかの可能な実施態様では、第2の構成情報は、複数の同期信号ブロックの各々の非共通構成パラメータの絶対値を含むか、または第2の構成情報は、特定のパラメータに対する複数の同期信号ブロックの各々の非共通構成パラメータのオフセット値を含むか、または第2の構成情報は、構成パターン指示情報を含み、構成パターン指示情報は、複数の同期信号バーストセットの非共通構成パラメータの構成パターンを指示し、同期信号バーストセットは、1つもしくは複数の同期信号ブロックを含む。
【手続補正６】
【補正対象書類名】明細書
【補正対象項目名】００３８
【補正方法】変更
【補正の内容】
【００３８】
本発明の実施形態における通信デバイスはネットワークデバイスであり得る。ネットワークデバイスは、端末デバイスと通信するためのデバイスであり得る。ネットワークデバイスは、グローバル・システム・フォー・モバイル・コミュニケーションズ（global system for mobile communication、GSM（登録商標））もしくは符号分割多元接続（code division multiple access、CDMA）システムにおける無線基地局（base transceiver station、BTS）であり得るか、または広帯域符号分割多元接続（wideband code division multiple access、WCDMA（登録商標））システムにおけるノードB（NodeB、NB）であり得るか、またはロングタームエボリューション（long term evolution、LTE）システムおける進化型ノードB（evolved node B、eNBまたはeNodeB）であり得るか、またはクラウド無線アクセスネットワーク（cloud radio access network、CRAN）シナリオにおける無線コントローラであり得る。また、ネットワークデバイスは、中継局、アクセスポイント、車載デバイス、ウェアラブルデバイス、将来の5Gネットワークにおけるネットワークデバイス、将来の進化型PLMNにおけるネットワークデバイスなどでもあり得る。
【手続補正７】
【補正対象書類名】明細書
【補正対象項目名】００５０
【補正方法】変更
【補正の内容】
【００５０】
図4は、本発明の一実施形態による通信方法の概略的流れ図である。図4では、ネットワークデバイスが上述のネットワークデバイスであり、端末デバイスが上述の端末デバイスであり得る。当然ながら、実際のシステムでは、ネットワークデバイスの台数および端末デバイスの台数は、本実施形態または別の実施形態の例に限定されない。以下では詳細を繰り返さない。図4に示される通信方法は広帯域（wideband）シナリオに適用され得る。広帯域とは、1つの広帯域搬送波を含み得る。具体的には、1つの広帯域搬送波の異なる周波数領域位置に複数のSSB（SSB burst set）がある。また、広帯域は、1つまたは複数の搬送波を集約することによって得られる広帯域であってもよい。また、広帯域は、他の形態の1つまたは複数のサブバンドを含んでいてもよい。これについては本出願の本実施形態では限定されない。
【手続補正８】
【補正対象書類名】明細書
【補正対象項目名】００５６
【補正方法】変更
【補正の内容】
【００５６】
時間領域位置情報は、同期信号バーストセットの伝送時点、例えば、同期信号バーストセットに対応するシステムフレーム番号（system frame number、SFN）やハーフフレームインジケータを指示する。これについては本出願の本実施形態では限定されない。
【手続補正９】
【補正対象書類名】明細書
【補正対象項目名】００６１
【補正方法】変更
【補正の内容】
【００６１】
任意選択で、本出願の一実施形態では、第1の構成情報は、複数の同期信号バーストセットの共通構成パラメータを指示するために使用され、共通構成パラメータは、複数の同期信号バーストセットのものであり、同じかまたは同じ特性を有する構成パラメータであり、第2の構成情報は、複数の同期信号バーストセットの非共通構成パラメータを指示するために使用され、非共通構成パラメータは、複数の同期信号バーストセットのものであり、異なる、および／または同じ特性がない構成パラメータであり得る。
【手続補正１０】
【補正対象書類名】明細書
【補正対象項目名】００６２
【補正方法】変更
【補正の内容】
【００６２】
本出願の本実施形態では、構成パラメータが同じ特性を有することは、複数の構成パラメータが同じ情報によって指示され得ることを指示する。例えば、複数の構成パラメータが同じオフセットを有する場合、オフセットは複数の構成パラメータを指示するために使用され得る。この場合、複数の構成パラメータは同じ特性を有する構成パラメータである。また、複数の構成パラメータが所定のパターンである場合、パターンの指示情報が複数の構成パラメータを指示するために使用され得る。この場合、複数の構成パラメータはやはり同じ特性を有する構成パラメータである。
【手続補正１１】
【補正対象書類名】明細書
【補正対象項目名】００６３
【補正方法】変更
【補正の内容】
【００６３】
特に、同期信号バーストセットの構成パラメータがすべて同じかまたは同じ特性を有するとき、すべての構成パラメータは共通構成パラメータである。言い換えると、この場合、第2の構成情報はない。同期信号バーストセットの構成パラメータがすべて異なり、および／または同じ特性がないとき、すべての構成パラメータは非共通構成パラメータである。言い換えると、この場合、第1の構成情報はない。
【手続補正１２】
【補正対象書類名】明細書
【補正対象項目名】００６４
【補正方法】変更
【補正の内容】
【００６４】
任意選択で、本出願の一実施形態では、第2の構成情報は、複数の同期信号ブロックの各々の非共通構成パラメータの絶対値を含み得るか、または第2の構成情報は、特定のパラメータに対する複数の同期信号ブロックの各々の非共通構成パラメータのオフセット値を含み得るか、または第2の構成情報は、構成パターン指示情報を含むことができ、構成パターン指示情報は、複数の同期信号バーストセットの非共通構成パラメータの構成パターンを指示する。
【手続補正１３】
【補正対象書類名】明細書
【補正対象項目名】００７５
【補正方法】変更
【補正の内容】
【００７５】
任意選択で、第2の構成情報はまた、複数の同期信号バーストセットの時間領域オフセット情報も指示し得る。時間領域オフセット情報は、基準点に対する各同期信号バーストセットの時間領域オフセットに関する情報を指示することができ、端末デバイスに接続された同期信号ブロックが位置する時間領域位置が基準点として使用されるか、または特定のシステムフレーム、例えば、システムフレームのサブフレーム0が基準点として使用される。スロット、フレーム、ミリ秒、事前設定時間窓などのうちの1つまたはそれらの組み合わせが、時間領域オフセット情報の基本単位として使用され得る。これについては本出願では限定されない。
【手続補正１４】
【補正対象書類名】明細書
【補正対象項目名】００８２
【補正方法】変更
【補正の内容】
【００８２】
任意選択で、図6のパートbおよび図6のパートcに示されるように、第2の構成情報はまた、複数の同期信号バーストセットの周波数領域オフセット情報も指示し得る。周波数領域オフセット情報は、基準位置に対する各同期信号バーストセットの周波数領域オフセットに関する情報を指示することができ、端末デバイスに接続された同期信号ブロックが位置する周波数領域位置が基準位置として使用されるか、または特定のリソースブロック、例えば、リソースブロック0が基準位置として使用される。周波数領域位置情報は、同期信号バーストセットが位置するリソースブロック、リソースブロックグループ、同期信号グリッドなどのうちの1つまたはそれらの組み合わせに基づいて指示され得る。同期信号グリッドは、周波数領域リソースを、リソースブロックまたはリソースブロックグループ以外の粒度で分割することによって得られる周波数領域単位である。これについては本出願では限定されない。
【手続補正１５】
【補正対象書類名】明細書
【補正対象項目名】００９０
【補正方法】変更
【補正の内容】
【００９０】
任意選択で、図7に示されるように、第2の構成情報はまた、複数の同期信号バーストセットの同期信号ブロック伝送パターン情報のオフセット情報を指示し得る。オフセット情報は、基準位置に対する各同期信号バーストセットのオフセットに関する情報を指示することができ、端末デバイスに接続された同期信号ブロックが位置する周波数領域位置が基準位置として使用されるか、または特定のリソースブロック、例えば、リソースブロック0が基準位置として使用される。同期信号ブロック、変調／復調シンボルなどのうちの1つまたはそれらの組み合わせがオフセット情報の基本単位として使用され得る。これについては本出願では限定されない。
【手続補正１６】
【補正対象書類名】明細書
【補正対象項目名】００９４
【補正方法】変更
【補正の内容】
【００９４】
任意選択で、第2の構成情報が時間領域位置情報を含むとき、第2の構成情報は、各同期信号バーストセットの絶対時間領域位置情報または複数の同期信号バーストセットの時間領域オフセット情報を指示することができ、第2の構成情報が周波数領域位置情報を含むとき、第2の構成情報は、各同期信号バーストセットの絶対周波数領域位置情報、複数の同期信号バーストセットの周波数領域オフセット情報、または事前定義のパターンを指示することができ、第2の構成情報が同期信号ブロック伝送パターン情報を含むとき、第2の構成情報は、各同期信号ブロック伝送パターン情報のオフセット情報または事前定義の構造を指示することができる。
【手続補正１７】
【補正対象書類名】明細書
【補正対象項目名】０１０３
【補正方法】変更
【補正の内容】
【０１０３】
任意選択で、第1の構成情報は、時間領域位置情報、周期、および同期信号ブロック伝送パターン情報のうちの少なくとも1つを含み、第2の構成情報は、周波数領域位置情報を含み得る。ネットワークデバイスは、第1の構成情報を、システムメッセージを介して端末デバイスに送信し、第2の構成情報を、無線リソース制御シグナリングを介して端末デバイスに送信し得る。
【手続補正１８】
【補正対象書類名】明細書
【補正対象項目名】０１０５
【補正方法】変更
【補正の内容】
【０１０５】
任意選択で、第1の構成情報は、周波数領域位置情報、時間領域位置情報、および周期のうちの少なくとも1つを含み、第2の構成情報は、同期信号ブロック伝送パターン情報を含み得る。ネットワークデバイスは、第1の構成情報を、システムメッセージを介して端末デバイスに送信し、第2の構成情報を、無線リソース制御シグナリングを介して端末デバイスに送信し得る。
【手続補正１９】
【補正対象書類名】明細書
【補正対象項目名】０１１５
【補正方法】変更
【補正の内容】
【０１１５】
端末デバイスは、ネットワークデバイスから構成情報を受信し、構成情報内の構成パラメータを取得するので、複数の同期信号バーストセットの同期信号ブロックを直接決定することができる。
【手続補正２０】
【補正対象書類名】明細書
【補正対象項目名】０１３５
【補正方法】変更
【補正の内容】
【０１３５】
任意選択で、第1の構成情報は、複数の同期信号バーストセットの共通構成パラメータを指示し、共通構成パラメータは、複数の同期信号バーストセットのものであり、同じかまたは同じ特性を有する構成パラメータであり、第2の構成情報は、複数の同期信号バーストセットの非共通構成パラメータを指示し、非共通構成パラメータは、複数の同期信号バーストセットのものであり、異なる、および／または同じ特性がない構成パラメータである。
【手続補正２１】
【補正対象書類名】明細書
【補正対象項目名】０１３８
【補正方法】変更
【補正の内容】
【０１３８】
任意選択で、第2の構成情報は、複数の同期信号ブロックの各々の非共通構成パラメータの絶対値を含むか、または第2の構成情報は、特定のパラメータに対する複数の同期信号ブロックの各々の非共通構成パラメータのオフセット値を含むか、または第2の構成情報は、構成パターン指示情報を含み、構成パターン指示情報は、複数の同期信号バーストセットの非共通構成パラメータの構成パターンを指示する。
【手続補正２２】
【補正対象書類名】明細書
【補正対象項目名】０１５１
【補正方法】変更
【補正の内容】
【０１５１】
任意選択で、第1の構成情報は、複数の同期信号バーストセットの共通構成パラメータを指示し、共通構成パラメータは、複数の同期信号バーストセットのものであり、同じかまたは同じ特性を有する構成パラメータであり、第2の構成情報は、複数の同期信号バーストセットの非共通構成パラメータを指示し、非共通構成パラメータは、複数の同期信号バーストセットのものであり、異なる、および／または同じ特性がない構成パラメータである。
【手続補正２３】
【補正対象書類名】明細書
【補正対象項目名】０１５４
【補正方法】変更
【補正の内容】
【０１５４】
任意選択で、第2の構成情報は、複数の同期信号ブロックの各々の非共通構成パラメータの絶対値を含むか、または第2の構成情報は、特定のパラメータに対する複数の同期信号ブロックの各々の非共通構成パラメータのオフセット値を含むか、または第2の構成情報は、構成パターン指示情報を含み、構成パターン指示情報は、複数の同期信号バーストセットの非共通構成パラメータの構成パターンを指示する。
【手続補正２４】
【補正対象書類名】明細書
【補正対象項目名】０１５９
【補正方法】変更
【補正の内容】
【０１５９】
処理装置は、フィールドプログラマブルゲート・アレイ（Field-Programmable Gate Array（FPGA））であり得るか、特定用途向け集積回路（Application-Specific Integrated Circuit、ASIC）であり得るか、システムオンチップ（System on Chip、SoC）であり得るか、中央処理装置（Central Processing Unit、CPU）であり得るか、ネットワークプロセッサ（Network Processor、NP）であり得るか、デジタル信号プロセッサ（Digital Signal Processor、DSP）であり得るか、マイクロコントロールユニット（Micro Control Unit、MCU）であり得るか、またはプログラマブルロジックデバイス（Programmable Logic Device、PLD）もしくは別の集積チップであり得る。
【手続補正２５】
【補正対象書類名】明細書
【補正対象項目名】０１６０
【補正方法】変更
【補正の内容】
【０１６０】
本発明の一実施形態は、処理部と送受信部とを含む、通信デバイスをさらに提供する。処理部および送受信部は、ソフトウェアによって実施され得るか、またはハードウェアによって実施され得る。ハードウェアによって実施される場合、処理部は図8のプロセッサ810であり、送受信部は図8の送受信機820であり得るか、または処理部は図9のプロセッサ920であり、送受信部は図9の送受信機910であり得る。
【手続補正２６】
【補正対象書類名】特許請求の範囲
【補正対象項目名】全文
【補正方法】変更
【補正の内容】
【特許請求の範囲】
【請求項１】
ネットワークデバイスから構成情報を受信するステップであって、前記構成情報が、1つの搬送波の異なる周波数領域位置に位置する複数の同期信号ブロックの構成パラメータを指示し、前記構成パラメータが構成パターン指示情報を含み、前記構成パターン指示情報が、実際に送信された同期信号ブロックを指示する、ステップと、
前記複数の同期信号ブロックを受信するステップと
を含む、通信方法。
【請求項２】
プロセッサと、送受信機とを含み、
前記プロセッサが、前記送受信機を介して、
ネットワークデバイスから構成情報を受信することであって、前記構成情報が、1つの搬送波の異なる周波数領域位置に位置する複数の同期信号ブロックの構成パラメータを指示し、前記構成パラメータが構成パターン指示情報を含み、前記構成パターン指示情報が、実際に送信された同期信号ブロックを指示する、ことと、
前記複数の同期信号ブロックを受信することと
を行うように構成される、通信装置。
【請求項３】
前記構成パターン指示情報にビットマップが使用される、請求項2に記載の通信装置。
【請求項４】
前記構成情報が、無線リソース制御シグナリングを介して受信される、請求項2または3に記載の通信装置。
【請求項５】
前記構成パラメータが、
前記複数の同期信号ブロックの各々の前記構成パラメータの絶対値、および／または
特定のパラメータに対する前記複数の同期信号ブロックの各々の前記構成パラメータのオフセット値
である、請求項2から4のいずれか一項に記載の通信装置。
【請求項６】
前記構成パラメータが、前記複数の同期信号ブロックの各々の時間領域位置情報、周波数領域位置情報、または周期を含む、請求項2から5のいずれか一項に記載の通信装置。
【請求項７】
前記構成パラメータが、前記複数の同期信号ブロックの各々の周波数領域位置情報の絶対値をさらに含む、請求項2から6のいずれか一項に記載の通信装置。
【請求項８】
前記周波数領域位置情報が、前記周波数領域位置情報の絶対値を含む、請求項6に記載の通信装置。
【請求項９】
1つの搬送波の異なる周波数領域位置に位置する複数の同期信号ブロックの構成情報を決定するステップであって、前記構成情報が前記複数の同期信号ブロックの構成パラメータを指示し、前記構成パラメータが構成パターン指示情報を含み、前記構成パターン指示情報が、実際に送信された同期信号ブロックを指示する、ステップと、
前記構成情報を端末デバイスに送信するステップと
を含む、通信方法。
【請求項１０】
1つの搬送波の異なる周波数領域位置に位置する複数の同期信号ブロックの構成情報を決定するように構成された処理装置であって、前記構成情報が前記複数の同期信号ブロックの構成パラメータを指示し、前記構成パラメータが構成パターン指示情報を含み、前記構成パターン指示情報が、実際に送信された同期信号ブロックを指示する、処理装置と、
前記構成情報を端末デバイスに送信するように構成された送受信機と
を含む、通信装置。
【請求項１１】
前記構成パターン指示情報にビットマップが使用される、請求項10に記載の通信装置。
【請求項１２】
前記構成情報が、無線リソース制御シグナリングを介して送信される、請求項10または11に記載の通信装置。
【請求項１３】
前記構成パラメータが、
前記複数の同期信号ブロックの各々の前記構成パラメータの絶対値、および／または
特定のパラメータに対する前記複数の同期信号ブロックの各々の前記構成パラメータのオフセット値
である、請求項10から12のいずれか一項に記載の通信装置。
【請求項１４】
前記構成パラメータが、前記複数の同期信号ブロックの各々の時間領域位置情報、周波数領域位置情報、または周期を含む、請求項10から13のいずれか一項に記載の通信装置。
【請求項１５】
前記構成パラメータが、前記複数の同期信号ブロックの各々の周波数領域位置情報の絶対値をさらに含む、請求項10から14のいずれか一項に記載の通信装置。
【請求項１６】
前記周波数領域位置情報が、前記周波数領域位置情報の絶対値を含む、請求項14に記載の通信装置。
【手続補正２７】
【補正対象書類名】図面
【補正対象項目名】図７
【補正方法】変更
【補正の内容】
【図７】
2021503845.tif 000012
【国際調査報告】
2021503845.tif 000013
2021503845.tif 000014
2021503845.tif 000015
2021503845.tif 000016
2021503845.tif 000017
2021503845.tif 000018